(57)【要約】【課題】薬物イオンを生体に投与するイオントフォレーシス装置であって、薬物の経皮投与をより促進することができる。【解決手段】薬物イオンを生体に投与するイオントフォレーシス装置１０であって、主電源６０における、薬物イオンと同じ導電型である第１導電型の端子６２に電気的に接続される第１電極部材２１０、および、薬物を保持し、第１電極部材２１０により作られる電場内に配される薬液保持部２４０を有する作用側電極構造体２００と、主電源６０における、第１導電型と反対の導電型である第２導電型の端子６４に電気的に接続される非作用側電極構造体３００と、超音波を発振する超音波発振器４１０、および超音波発振器４１０から供給された超音波により振動する超音波振動子４２０を有する振動部４００とを備え、超音波振動子４２０は、作用側電極構造体２００の近傍に並設される。【選択図】図１
2007135893.tif 000002
【特許請求の範囲】
【請求項１】
イオン化した薬物を経皮投与するイオントフォレーシス装置であって、
電源における、イオン化した前記薬物と同じ第１導電型の端子に電気的に接続される第１電極部材、および、前記薬物を含む薬液を保持しており、前記第１電極部材により作られる電場内に配される薬液保持部を有する作用側電極構造体と、
前記電源における、前記第１導電型と反対の導電型である第２導電型の端子に電気的に接続される非作用側電極構造体と、
超音波を発振する超音波発振器、および前記超音波発振器から供給された超音波により振動する超音波振動子を有する振動部と
を備えるイオントフォレーシス装置。
【請求項２】
前記作用側電極構造体は、
前記第１電極部材に電気的に接続され、電解液を保持している第１電解液保持部、
前記第１電極部材との間で前記第１電解液保持部を挟み、前記第２の導電型のイオンを選択的に透過する第２導電型のイオン交換膜、および、
前記第２導電型のイオン交換膜との間で前記薬液保持部を挟み、前記第１の導電型のイオンを選択的に透過する第１導電型のイオン交換膜
をさらに有する請求項１に記載のイオントフォレーシス装置。
【請求項３】
前記非作用側電極構造体は、
前記電源の前記端子に電気的に接続される第２電極部材、
前記第２電極部材に電気的に接続され、電解液を保持している第２電解液保持部、
前記第２電極部材との間で前記第２電解液保持部を挟み、前記第２電極部材と異なる電気的な極性を有するイオンを選択的に透過する第１導電型のイオン交換膜、
前記第１導電型のイオン交換膜において前記第２電解液保持部と反対側に配され、電解液を保持している第３電解液保持部、および、
前記第１導電型のイオン交換膜との間で前記第３電解液保持部を挟み、前記第２電極部材と同じ電気的な極性を有するイオンを選択的に透過する第２導電型のイオン交換膜
を有する請求項２に記載のイオントフォレーシス装置。
【請求項４】
前記超音波振動子は、前記作用側電極構造体の近傍に並設される請求項１に記載のイオントフォレーシス装置。
【請求項５】
前記超音波振動子は、前記第１電極部材を囲う環状に配される請求項４に記載のイオントフォレーシス装置。
【請求項６】
前記第１電極部材は、前記超音波振動子を囲う環状に配される請求項４に記載のイオントフォレーシス装置。
【請求項７】
前記超音波振動子は、前記作用側電極構造体に対して着脱可能に取り付けられる請求項４に記載のイオントフォレーシス装置。
【請求項８】
前記超音波振動子に接続された前記超音波発振器に電力を供給する振動用電源をさらに備える請求項４に記載のイオントフォレーシス装置。
【請求項９】
前記超音波振動子は、振動吸収材を介して前記作用側電極構造体に取り付けられる請求項４に記載のイオントフォレーシス装置。
【請求項１０】
前記電源と、
前記電源から前記作用側電極構造体、前記非作用側電極構造体および前記超音波振動子に供給する電力を制御する制御部と
をさらに備える請求項１から９のいずれかに記載のイオントフォレーシス装置。
【請求項１１】
薬物イオンを生体に投与するイオンフォトレーシス装置における作用側電極ユニットであって、
電源における、前記第１導電型と反対の導電型である第２導電型の端子に電気的に接続される第１電極部材、および、前記薬液を保持しており、前記第１電極部材により作られる電場内に配される薬液保持部を有する作用側電極構造体と、
超音波を発振する超音波発振器、および前記超音波発振器から供給された超音波により振動する超音波振動子を有する振動部と
を備える作用側電極ユニット。
【発明の詳細な説明】
【技術分野】
【０００１】
本発明は、イオントフォレーシス装置および作用側電極ユニットに関する。特に本発明は、薬物イオンをイオントフォレーシスにより経皮的に投与するイオントフォレーシス装置、および、これに用いる作用側電極ユニットに関する。
【背景技術】
【０００２】
人間または動物の身体の所望部位における皮膚または粘膜などの生体表面（以下、これらをまとめて「皮膚」と称す）に対して、薬物イオンをイオントフォレーシスにより経皮的に投与するイオントフォレーシス装置が知られている。さらに、このイオントフォレーシス装置の第１電極部材上に、振動体もしくは超音波振動体を設けた装置が知られている（例えば、特許文献１および特許文献２を参照）。なお、イオントフォレーシス（ｉｏｎｔｏｐｈｏｒｅｓｉｓ）は、イオントフォレーゼ、イオン導入法、イオン浸透療法などと呼ばれることもある。
【特許文献１】特許第２７８８３０７号
【特許文献２】特開平８−２５２３２９号公報
【発明の開示】
【発明が解決しようとする課題】
【０００３】
上記特許文献に記載されたイオントフォレーシス装置は、皮膚と薬物を投与する側の電極との間に薬物を配しているので、薬物と皮膚、および、薬物と電極、がそれぞれ当接している。したがって、電極上で薬物や水（薬物を溶解するための媒体）が電気分解することにより発生する有害物質が皮膚に熱傷または炎症などを起こす可能性がある。また、このような電気分解反応によって発生する水素ガスや酸素ガスによって、電極と薬物との接触が妨げられることで通電抵抗が大きくなり、薬物イオンの輸率が著しく低下することが懸念される。
【課題を解決するための手段】
【０００４】
上記課題を解決するために、本発明の第１の形態においては、イオン化した薬物を経皮投与するイオントフォレーシス装置であって、電源における、イオン化した薬物と同じ第１導電型の端子に電気的に接続される第１電極部材、および、薬物を含む薬液を保持しており、第１電極部材により作られる電場内に配される薬液保持部を有する作用側電極構造体と、電源における、第１導電型と反対の導電型である第２導電型の端子に電気的に接続される非作用側電極構造体と、超音波を発振する超音波発振器、および超音波発振器から供給された超音波により振動する超音波振動子を有する振動部とを備える。これにより、作用側電極構造体と当接する皮膚の熱傷または炎症などを防ぐことができるので、薬物イオンを安全に生体へ投与することができる。さらに、超音波振動子が皮膚の内部にキャビテーションを起こすことで角質層のバリアー能を低下させることができるので、薬物イオンの経皮投与をより促進することができる。
【０００５】
また、作用側電極構造体は、さらに、第１電極部材に電気的に接続され、電解液を保持している第１電解液保持部、第１電極部材との間で第１電解液保持部を挟み、第２の導電型のイオンを選択的に透過する第２導電型のイオン交換膜、および、第２導電型のイオン交換膜との間で薬液保持部を挟み、第１の導電型のイオンを選択的に透過する第１導電型のイオン交換膜をさらに有してもよい。これにより、作用側電極構造体と当接する皮膚の熱傷または炎症などを防ぐことができるだけでなく、安定した通電状態のもとで薬物イオンを投与することができるので、安全かつ効率よく薬物イオンを生体へ投与することができる。
【０００６】
また、非作用側電極構造体は、さらに、電源の端子に電気的に接続される第２電極部材、第２電極部材に電気的に接続され、電解液を保持している第２電解液保持部、第２電極部材との間で第２電解液保持部を挟み、第２電極部材と異なる電気的な極性を有するイオンを選択的に透過する第１導電型のイオン交換膜、第１導電型のイオン交換膜において第２電解液保持部と反対側に配され、電解液を保持している第３電解液保持部、および、第１導電型のイオン交換膜との間で第３電解液保持部を挟み、第２電極部材と同じ電気的な極性を有するイオンを選択的に透過する第２導電型のイオン交換膜を有してもよい。これにより、非作用側電極構造体と当接する皮膚の熱傷または炎症などを防ぐことができるだけでなく、さらに安定した通電状態のもとで薬物イオンを投与することができるので、安全かつ効率よく薬物イオンを生体へ投与することができる。
【０００７】
また、上記イオントフォレーシス装置において、超音波振動子は、作用側電極構造体の近傍に並設されてもよい。これにより、超音波振動子が作用側電極構造体の上下または内部に配される場合に比べて、作用側電極構造体を振動させることがない。よって、振動によって作用側電極構造体と皮膚との当接状態が不安定になるのを抑えることができる。また、超音波振動子が作用側電極構造体の上下または内部に配される場合に比べて、作用側電極構造体と当接している皮膚に対して振動を伝えるための構成を作用側電極構造体に備えなくてもよいので、作用側電極構造体の構成を所望に選択できる。
【０００８】
また、超音波振動子は、第１電極部材を囲う環状に配されてもよい。これにより、作用側電極構造体と当接する皮膚に対して、超音波振動子より発生する振動をより確実に伝えることができるので、振動による薬物イオンの生体への投与に対する促進効果を大きくすることができる。
【０００９】
また、超音波振動子は、作用側電極構造体に対して着脱可能に取り付けられてもよい。これにより、超音波振動子を作用側電極構造体に装着した状態では、超音波振動子を作用側電極構造体と一体的に取り扱うことができるので、ユーザの操作性が向上する。また、超音波振動子を用いないときには、超音波振動子を作用側電極構造体から取り外すことにより軽量化を図ることができる。
【００１０】
また、上記イオントフォレーシス装置は、超音波振動子に接続された超音波発振器に電力を供給する振動用電源をさらに備えてもよい。これにより、電源が、作用側電極構造体、非作用側電極構造体、および振動部にそれぞれ電力を供給する場合と比べて、電源の容量を小さくすることができる。また、作用側電極構造体および非作用側電極構造体、ならびに振動部を別個に作動させることができる。
【００１１】
また、超音波振動子は、振動吸収材を介して作用側電極構造体に取り付けられてもよい。これにより、振動によって作用側電極構造体と皮膚との当接状態が不安定になるのをさらに抑えることができる。
【００１２】
また、上記イオントフォレーシス装置は、さらに、電源と、電源から作用側電極構造体、非作用側電極構造体および超音波振動子に供給する電力を制御する制御部とを備えてもよい。これにより、作用側電極構造体、非作用側電極構造体、および超音波振動子に供給する電力を、生体の投与部位などによって適切に制御することができるので、さらに安全かつ効率よく薬物イオンを生体に投与することができる。
【００１３】
本発明の第２の形態においては、薬物イオンを生体に投与するイオンフォトレーシス装置における作用側電極ユニットであって、電源における、第１導電型と反対の導電型である第２導電型の端子に電気的に接続される第１電極部材、および、薬液を保持しており、第１電極部材により作られる電場内に配される薬液保持部を有する作用側電極構造体と、超音波を発振する超音波発振器、および超音波発振器から供給された超音波により振動する超音波振動子を有する振動部とを備える。これにより、第１の形態と同様の効果を得ることができる。
【発明の効果】
【００１４】
以上、本発明によれば、作用側電極構造体と当接する皮膚の熱傷または炎症などを防ぐことができるので、薬物イオンを安全に生体へ投与することができる。さらに、超音波振動子が皮膚の内部にキャビテーションを起こすことで角質層のバリアー能を低下させることができるので、薬物イオンの経皮投与をより促進することができる。
【００１５】
なお、上記の発明の概要は、本発明の必要な特徴の全てを列挙したものではなく、これらの特徴群のサブコンビネーションもまた、発明となりうる。
【発明を実施するための最良の形態】
【００１６】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１７】
図１は、本発明の実施形態に係るイオントフォレーシス装置１０の斜視図である。図２は、イオントフォレーシス装置１０の概略側面図である。図１および図２に示すイオントフォレーシス装置１０は、装置本体５０、作用側電極構造体２００、非作用側電極構造体３００、および、上記作用側電極構造体２００に並設された振動部４００を備える。以下の説明において、正（＋）または負（−）の一方の電気的な極性を第１導電型といい、他方を第２導電型という。
【００１８】
作用側電極構造体２００は、装置本体５０側から、皮膚に装着される場合の皮膚側に向かって、第１電極部材２１０、第１電解液保持部２２０、第２導電型のイオン交換膜２３０、薬液保持部２４０、および、第１導電型のイオン交換膜２５０をこの順に有し、上面および側面は、容器２６０で覆われている。第１電極部材２１０は、装置本体５０に内蔵された主電源６０の第１導電型である端子６２に電気的に接続されている。
【００１９】
第１電解液保持部２２０は、第１電極部材２１０に電気的に接続され、電解液を保持する。この電解液には、水の電気分解反応（水の酸化および還元反応）と比較して水の酸化還元電位より低い酸化還元電位を有する酸化および還元しやすい化合物が溶解した溶液を用いる。第２導電型のイオン交換膜２３０は、第１電極部材２１０との間で第１電解液保持部２２０を挟み、第２導電型のイオンを選択的に透過する。薬液保持部２４０は、薬物イオンを含む薬液を保持する。ここで、薬物イオンとは、薬物がイオン解離したアニオンおよびカチオンの一方であって、薬効を担う第１導電型のイオンをいう。第１導電型のイオン交換膜２５０は、第２導電型のイオン交換膜２３０との間で薬液保持部２４０を挟み、第１導電型のイオンを選択的に透過する。
【００２０】
非作用側電極構造体３００は、装置本体５０側から、皮膚に装着される場合の皮膚側に向かって、第２電極部材３１０、第２電解液保持部３２０、第１導電型のイオン交換膜３３０、第３電解液保持部３４０、および、第２導電型のイオン交換膜３５０をこの順に有する。第２電極部材３１０は、装置本体５０に内蔵された主電源６０の第２導電型である端子６４に接続されている。
【００２１】
第２電解液保持部３２０は、第２電極部材３１０に電気的に接続され、電解液を保持する。第１導電型のイオン交換膜３３０は、第２電極部材３１０との間で第２電解液保持部３２０を挟み、第１導電型のイオンを選択的に透過する。第３電解液保持部３４０は、第１導電型のイオン交換膜３３０において第２電解液保持部３２０と反対側に配され、電解液を保持する。第２導電型のイオン交換膜３５０は、第１導電型のイオン交換膜３３０との間で第３電解液保持部３４０を挟み、第２導電型のイオンを選択的に透過する。なお、第２電解液保持部３２０、および第３電解液保持部３４０が保持する電解液は、作用側電極構造体２００の第１電解液保持部２２０が保持する電解液と同様に、水の電気分解反応（水の酸化および還元反応）と比較して水の酸化還元電位より低い酸化還元電位を有する酸化および還元しやすい化合物が溶解した溶液を用いる。
【００２２】
振動部４００は、さらに、超音波を発振する超音波発振器４１０、および、超音波発振器４１０から供給された超音波により振動する超音波振動子４２０を有する。振動部４００の少なくとも超音波振動子４２０は、作用側電極構造体２００と振動吸収材８０で接続されて、作用側電極構造体２００を囲う環状に配される。なお、本実施形態において、第１電極部材２１０および薬液保持部２４０を有する作用側電極構造体２００と、超音波発振器４１０および超音波振動子４２０と、作用側電極ユニットを構成する。
【００２３】
制御部７０は、主電源６０から、作用側電極構造体２００、非作用側電極構造体３００、および超音波発振器４１０に接続された超音波振動子４２０に供給される電力を制御する。この場合に、制御部７０は予め記憶されたプログラムに従った制御をしてもよい。
【００２４】
図１および図２に示すイオントフォレーシス装置１０を用いて薬物イオンを生体に投与するにあたっては、作用側電極構造体２００の少なくとも第１導電型のイオン交換膜２５０の外面（図１において並線を施した面）、および振動部４００の少なくとも超音波振動子４２０の一つの面（図１において斜線を施した面）は、生体の投与対象部位に当接される。さらに、非作用側電極構造体３００の少なくとも第２導電型のイオン交換膜３５０の外面（図１において網掛を施した面）は、生体の投与対象部位の周囲あるいは連接した部位に当接される。
【００２５】
このように、イオントフォレーシス装置１０の作用側電極構造体２００および非作用側電極構造体３００が皮膚と当接した状態で、主電源６０から第１電極部材２１０および第２電極部材３１０に対して、イオントフォレーシスを適用するための電力が供給される（電圧がかけられる）と、第１電極部材２１０および第２電極部材３１０の間に皮膚を介して電流が流れ、通電状態となる。
【００２６】
ここで、薬物イオンがアニオンである場合を例に、図１および図２に示すイオントフォレーシス装置１０の具体的構成について説明する。この場合、第１導電型は負（−）であり、第２導電型は正（＋）である。したがって、作用側電極構造体２００の第１電極部材２１０はカソードとなり、非作用側電極構造体３００の第２電極部材３１０はアノードとなる。また、作用側電極構造体２００において、第２導電型のイオン交換膜２３０にはカチオン交換膜を用い、第１導電型のイオン交換膜２５０にはアニオン交換膜を用いる。また、作用側電極構造体２００において、第１導電型のイオン交換膜３３０にはアニオン交換膜を用い、第２導電型のイオン交換膜３５０にはカチオン交換膜を用いる。
【００２７】
図１および図２に示すイオントフォレーシス装置１０は、通電状態において、以下の作用効果を奏する。すなわち、作用側電極構造体２００では、薬液保持部２４０が保持する薬液に含まれる薬物イオンは、電気泳動によりカソードである第１電極部材２１０と反対側（皮膚側）へ移動し、薬液保持部２４０の皮膚側に配設されて皮膚と当接する第１導電型のイオン交換膜２５０を透過して速やかに皮膚へ浸透する。これに対し、生体内のカチオンは第１導電型のイオン交換膜２５０を透過して薬液保持部２４０側へ移動することがない。したがって、安定した通電状態のもとでイオントフォレーシスにより薬物イオンを生体へ導入することができる。また、薬液保持部２４０に含まれる、アニオンである薬物イオンと対を成すカチオンは、第１電極部材２１０側へ移動し、カチオン交換膜である第２導電型のイオン交換膜２３０を透過して第１電解液保持部２２０側へ移動する。したがって、通電状態において、薬液保持部２４０のイオンバランスが崩れないので、ｐＨの変化は生じにくい。故に、通電抵抗が大きくなりにくいので、薬物イオンの輸送効率の低下を抑えることができる。
【００２８】
一方、非作用側電極構造体３００では、第３電解液保持部３４０が保持する電解液に溶解している化合物が水の酸化還元電位より低い酸化還元電位を有する化合物であるので、アノードである第２電極部材３１０において、水の電気分解反応は起こらない。したがって、水の電気分解反応で発生する気泡（酸素ガス）によって、第２電極部材３１０と第３電解液保持部３４０の保持する電解液との接触が妨げられることで通電抵抗が大きくなるのを防ぐことができる。
【００２９】
なお、薬物イオンがカチオンである場合は、第１導電型は正（＋）であり、第２導電型は負（−）である。したがって、図１および図２に示すイオントフォレーシス装置１０における、第１電極部材２１０および第２電極部材３１０の電気的な極性は逆になり、また、第２導電型のイオン交換膜２３０、第１導電型のイオン交換膜２５０、第１導電型のイオン交換膜３３０、および第２導電型のイオン交換膜３５０の種類（イオン選択特性）はそれぞれ反対のものになる。
【００３０】
図１および図２に示すイオントフォレーシス装置１０を用いて薬物イオンの生体への投与を開始すると、イオントフォレーシス装置１０の装置本体５０に内蔵された主電源６０から、制御部７０を介して振動部４００の超音波発振器４１０へ電力が供給される。超音波発振器４１０は、供給された電力を高周波電圧に変換して、超音波振動子４２０に高周波電圧をかける。超音波振動子４２０は高周波電圧によって機械的に振動し、超音波振動子４２０と当設する皮膚に対して超音波振動が伝わる。この超音波振動により、皮膚の内部にキャビテーションが起きる。このキャビテーションは、細胞レベルで生じる無数の陰圧の気泡（空洞）である。この気泡が消滅するときに非常に大きなエネルギーが局所的に発生し、これらエネルギーが角質層に作用することによりバリアー能を低下させるので、薬物イオンの経皮吸収が増大する。
【００３１】
この場合に、振動部４００の少なくとも超音波振動子４２０が、作用側電極構造体２００と振動吸収材８０で接続されているので、作用側電極構造体２００側への振動が伝わらず、作用側電極構造体２００の振動が抑えられる。したがって、振動によって作用側電極構造体２００と皮膚との当接状態が不安定になるのを抑えることができる。また、イオントフォレーシス装置１０において、超音波振動子４２０が作用側電極構造体２００を囲う環状に配されているので、作用側電極構造体２００と当接する皮膚に対して、超音波振動子４２０より発生する超音波振動をより確実に伝えることができる。
【００３２】
図３は、他の実施形態であるイオントフォレーシス装置１０の概略側面図である。図３に示すイオントフォレーシス装置１０は、図２の構成に加えて、さらに、超音波振動子４２０に接続された超音波発振器４１０に電力を供給する振動用電源６６を備える。これにより、主電源６０は、作用側電極構造体２００の第１電極部材２１０、および非作用側電極構造体３００の第２電極部材３１０に対して電力を供給するために十分な容量であればよいので、主電源６０の容量を小さくすることができる。また、作用側電極構造体２００および非作用側電極構造体３００、ならびに振動部４００が、それぞれ主電源６０、ならびに振動用電源６６を備えているので、作用側電極構造体２００および非作用側電極構造体３００、ならびに振動部４００を、それぞれ別個に作動させることができる。
【００３３】
図４は、イオントフォレーシス装置１０における、超音波振動子４２０の他の配設形態を示す。図４に示すように、超音波振動子４２０が複数設けられて、互いに所定の振動モードで振動してもよい。振動モードの例としては、複数の超音波振動子４２０のすべてが同時に同方向に振動してもよいし、互いに向かい合う超音波振動子４２０は同位相で振動し、互いに向かい合う超音波振動子４２０の組同士は逆位相に振動してもよい。また、振動モードの他の例として、時計回りまたは反時計回りに並んだ順に位相をずらして超音波振動子４２０が振動してもよい。
【００３４】
また、図４に示すように、超音波振動子４２０を備える振動部４００は、振動吸収材８０により４カ所で嵌合することで作用側電極構造体２００に対して着脱可能に取り付けられる。これにより、振動部４００を作用側電極構造体２００に装着した状態では、振動部４００を作用側電極構造体２００と一体的に取り扱うことができるので、ユーザの操作性が向上する。また、振動部４００を用いないときには、これを取り外すことにより軽量化を図ることができる。
【００３５】
図５は、イオントフォレーシス装置１０における、作用側電極構造体２００が振動部４００を囲う環状に配される形態を示す。図５に示すように、作用側電極構造体２００は、振動部４００を囲う環状に配されて振動吸収材８０で接合される。これにより、超音波振動子４２０により振動させた皮膚の近傍において作用側電極構造体２００から薬物イオンを生体に投与することができるので、振動による薬物イオンの生体への投与に対する促進効果を大きくすることができる。
【００３６】
図１〜図５に示す実施形態において、イオントフォレーシスを適用するための電圧は、０〜１０Ｖ程度の直流電圧が好ましく、例えば、低周波治療器のようにパルス電圧をかけたり、また、徐々に電圧を上げたり、あるいは、下げてもよい。体内を流れる電流は０．０１〜５ｍＡの範囲が好ましいが、第１電極部材２１０および第２電極部材３１０の面積や投与部位、さらには患者の個体差などによって増減させて、痛みや熱感を与えない程度に制御部７０が電流を制御する。
【００３７】
また、イオントフォレーシス装置１０に適用される薬物イオンとしては、例えば次のようなものがある。正に帯電する薬物イオンとして、麻酔剤（塩酸プロカイン、塩酸リドカインなど）、胃腸疾患治療剤（塩化カルニチンなど）、骨格筋弛緩剤（臭化バンクロニウムなど）、抗生物質（テトラサイクリン系製剤、カナマイシン系製剤、ゲンタマイシン系製剤）等が挙げられる。負に帯電する薬物イオンとして、ビタミン（以下、Ｖと略記する）剤（ＶＢ２、ＶＢ１２、ＶＣ、ＶＥ、葉酸など）、副腎皮質ホルモン（ヒドロコルチゾン系水溶性製剤、デキサメサゾン系水溶性製剤、プレドニソロン系水溶性製剤など）、抗生物質（ペニシリン系水溶性製剤、クロウムフェニコール系水溶性製剤）等が挙げられる。
【００３８】
また、主電源６０および振動用電源６６は、装置本体５０に内蔵する形態に限定されず、例えば、電池、定電圧装置、定電流装置、定電圧・定電流装置（ガルバノ装置）など、所望のものでよい。また、振動吸収材８０は、例えば防振ゴムなどが適当である。
【００３９】
また、第１電極部材２１０、および第２電極部材３１０の電極材は、例えば、炭素、白金などの導電性材料など、薬物イオンの特性に応じて所望のものを用いてもよい。
【００４０】
また、作用側電極構造体２００の第１電解液保持部２２０、非作用側電極構造体３００の第２電解液保持部３２０および第３電解液保持部３４０は、上記のように、電解液として、水の電気分解反応（水の酸化および還元反応）と比較して水の酸化還元電位より低い酸化還元電位を有する酸化および還元しやすい化合物が溶解した溶液を用いることが好ましい。例えば、第一硫酸鉄（ＦｅＳＯ４）と第二硫酸鉄〔Ｆｅ２（ＳＯ４）３〕の混合水溶液、アスコルビン酸ナトリウム水溶液、乳酸およびフマル酸ナトリウムの混合水溶液、などが挙げられる。また、これら電解液の保持形態は、例えば、ゲルや、所望の媒体（ガーゼ、吸水性高分子材料など）に含浸させたタイプのものや、電解液をそのまま保持する溶液タイプのものなどであってもよい。
【００４１】
また、アニオン交換膜は、例えば、高分子の側鎖に四級化されたアンモニウム基を有するもの、カチオン交換膜としては、例えば、高分子の側鎖にスルホン酸基を有するものなど所望のものでよく、これらは薬物イオンの種類などによって適宜組み合わせてもよい。
【００４２】
また、超音波発振器４１０は、帰還発振方式、あるいは周波数自動追尾方式と呼ばれるものでよく、本実施形態では、制御部７０が超音波発振器４１０の機能の一部または全部を代替してもよい。また、超音波振動子４２０は、例えばピエゾ素子などのような、圧電または磁歪材料に２０〜５００ｋＨｚの高周波電圧を作用させることによって、超音波の機械的振動に変換するものでよい。
【００４３】
また、容器２６０および容器３６０は、非イオン伝導性および電気絶縁性を有し、さらに、可塑性、柔軟性、可撓性、および形状保持性の少なくとも一つを有する材料にて作製されるのが望ましい。例えば、アクリル、ポリ塩化ビニル、ポリアクリル、ポリアミド、ポリスルホン、ポリスチレン、ポリオキシメチレン、ポリカーボネート、ポリエステル、およびこれらの素材の共重合体などが適当である。
【００４４】
また、作用側電極構造体２００の少なくとも第１導電型のイオン交換膜２５０の外面、振動部４００の少なくとも超音波振動子４２０の一つの面、および非作用側電極構造体３００の少なくとも第２導電型のイオン交換膜３５０の外面を、それぞれ生体に当接させる手段は、例えば、装置本体５０を手で持って皮膚に押し当てて当接させる、あるいは、粘着剤などで皮膚に貼り付ける、など所望の手段を用いてもよい。
【００４５】
以上、本実施形態によれば、イオントフォレーシス装置１０において、振動部４００の少なくとも超音波振動子４２０が、作用側電極構造体２００と振動吸収材８０で接続されているので、作用側電極構造体２００側への振動が伝わらず、作用側電極構造体２００の振動が抑えられる。したがって、振動によって作用側電極構造体２００と皮膚との当接状態が不安定になるのを抑えることができる。また、イオントフォレーシス装置１０において、超音波振動子４２０が作用側電極構造体２００を囲う環状に配されているので、作用側電極構造体２００と当接する皮膚に対して、超音波振動子４２０より発生する振動をより確実に伝えることができる。
【００４６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００４７】
【図１】本発明の実施形態に係るイオントフォレーシス装置１０の斜視図である。
【図２】イオントフォレーシス装置１０の概略側面図である。
【図３】他の実施形態であるイオントフォレーシス装置１０の概略側面図である。
【図４】イオントフォレーシス装置１０における、超音波振動子４２０の他の配設形態を示す。
【図５】イオントフォレーシス装置１０における、作用側電極構造体２００が振動部４００を囲う環状に配される形態を示す。
【符号の説明】
【００４８】
１０  イオントフォレーシス装置、５０  装置本体、６０  主電源、６２  端子、６４  端子、６６  振動用電源、７０  制御部、８０  振動吸収材、２００  作用側電極構造体、２１０  第１電極部材、２２０  第１電解液保持部、２３０  第２導電型のイオン交換膜、２４０  薬液保持部、２５０  第１導電型のイオン交換膜、２６０  容器、３００  非作用側電極構造体、３１０  第２電極部材、３２０  第２電解液保持部、３３０  第１導電型のイオン交換膜、３４０  第３電解液保持部、３５０  第２導電型のイオン交換膜、３６０  容器、４００  振動部、４１０  超音波発振器、４２０  超音波振動子
【図１】
2007135893.tif 000003
【図２】
2007135893.tif 000004
【図３】
2007135893.tif 000005
【図４】
2007135893.tif 000006
【図５】
2007135893.tif 000007